(57)【要約】【課題】セットアップ完了後での設定変更を効率良く実行する。【解決手段】予約情報管理部１１７により、セットアップ端末３００によって設定されたセットアップ完了後での設定変更の予約日時とＩＰアドレス及び／又はデフォルトゲートウェイとを含む予約情報を管理し、システム制御部１２１により、予約情報管理部１１７からの予約日時に達したことを示す通知を受け取ると、設定変更の内容に従って設定変更の処理を実行する。また、システム制御部１２１は、予約情報管理部１１７からの通知を受け取ると、パネル部１０５に予約通知画面を表示させ、予約通知画面を介して設定変更の開始を受け付けると、設定変更の処理を実行する。【選択図】図２
2019200685.tif 000002
【特許請求の範囲】
【請求項１】
パネル部と、
セットアップ端末によって設定されたセットアップ完了後での設定変更の予約日時時期と前記設定変更の内容とを含む予約情報を管理する予約情報管理部と、
前記予約情報管理部からの前記予約日時時期に達したことを示す通知を受け取ると、前記設定変更の内容に従って前記設定変更の処理を実行するシステム制御部とを備え、
前記システム制御部は、前記予約情報管理部からの前記通知を受け取ると、前記パネル部に予約通知画面を表示させ、前記予約通知画面を介して前記設定変更の開始を受け付けると、前記設定変更の処理を実行する
ことを特徴とする電子機器。
【請求項２】
前記システム制御部は、前記予約通知画面を介して前記予約日時時期の変更を受け付けると、前記予約情報管理部に対し、前記予約日時時期を変更させることを特徴とする請求項１に記載の電子機器。
【請求項３】
前記設定変更の内容は、ネットワークを介しての接続情報であることを特徴とする請求項１又は２に記載の電子機器。
【請求項４】
前記時期は、前記セットアップ完了後の予約日時、前記セットアップ完了後の前記電子機器の最初の起動時、又は前記セットアップ完了後の前記電子機器の納品日の最初の起動時であることを特徴とする請求項１〜３の何れか一項に記載の電子機器。
【請求項５】
電子機器を制御するコンピューターに実行させるネットワーク設定プログラムであって、
予約情報管理部により、セットアップ端末によって設定されたセットアップ完了後での設定変更の予約日時時期と前記設定変更の内容とを含む予約情報を管理する工程と、
システム制御部により、前記予約情報管理部からの前記予約日時時期に達したことを示す通知を受け取ると、前記設定変更の内容に従って前記設定変更の処理を実行する工程とを有し、
前記システム制御部は、前記予約情報管理部からの前記通知を受け取ると、パネル部に予約通知画面を表示させ、前記予約通知画面を介して前記設定変更の開始を受け付けると、前記設定変更の処理を実行する
ことを特徴とするネットワーク設定プログラム。
【発明の詳細な説明】
【技術分野】
【０００１】
本発明は、たとえば電子機器のセットアップに適した電子機器及びネットワーク設定プログラムに関する。
【背景技術】
【０００２】
電子機器の一つである、たとえば、ＭＦＰ(Multifunction Peripheral)等の画像形成装置においては、印刷機能、コピー機能、ＦＡＸ(Facsimile)機能、スキャナー機能、ネットワーク経由でのデータ送受信機能等が搭載されている機種がある。ところで、このような画像形成装置の場合、たとえば初めての使用に際してセットアップが必要となる。
【０００３】
このようなセットアップに関するものとして、特許文献１では、次のようなネットワークデバイスを提案している。すなわち、ネットワークデバイスのコントローラーがネットワークインターフェースから設定情報を読み出し、内部で保持している設定値を書き換え、ネットワークインターフェースに設定情報を通知する。また、コントローラーは、設定値を書き換えた場合、ネットワークインターフェースに再起動が必要である旨を通知する。
【先行技術文献】
【特許文献】
【０００４】
【特許文献１】特開２０００−２０７３４１号公報
【発明の概要】
【発明が解決しようとする課題】
【０００５】
上記の特許文献１のネットワークデバイスでは、ネットワークインターフェースの設定変更が行われた場合に限り、自動的にネットワークインターフェースが再起動するので、ユーザーには再起動の操作を意識させず、しかも設定変更後の再起動のし忘れを防ぐことができる。
【０００６】
ところで、たとえば上述した画像形成装置をクライアントへ納品するに際し、納品前にクライアントからの要望に応じた内容でのセットアップを実行することがある。また、クライアントへの納品台数が多いとき、ネットワークを介して複数の画像形成装置を一括でセットアップすることもある。
【０００７】
このようなネットワークを介しての画像形成装置の一括によるセットアップでは、たとえばＤＨＣＰ(Dynamic Host Configuration Protocol)サーバーによってそれぞれの画像形成装置にＩＰ(Internet Protocol)アドレスを自動的に割り当てることで、セットアップ用の端末からの指示によるセットアップを効率良く実行できる。
【０００８】
ところが、クライアントによっては、全ての画像形成装置、又は複数台のうちの何台かの画像形成装置について、ＩＰアドレスを指定することがある。これは、たとえば納品された画像形成装置とユーザー端末等との接続において、ＩＰアドレスが指定以外のものであると、納品された画像形成装置とユーザー端末等との接続ができなくなってしまうためである。
【０００９】
この場合、特許文献１でのネットワークデバイスでのセットアップのように、設定値を書き換えたとき、ネットワークインターフェースに再起動が必要である旨を通知することが考えられる。ところが、クライアントに画像形成装置を納品するまでの間に、たとえばクライアントからの再セットアップの要求等があり、再度、ＤＨＣＰサーバーによってそれぞれの画像形成装置にＩＰアドレスを自動的に割り当てることがあると、再セットアップの完了後に、再度、ＩＰアドレスをクライアントの指定した内容に変更する必要があり、非効率である。
【００１０】
本発明は、このような状況に鑑みてなされたものであり、上記問題点を解消することができる電子機器及びネットワーク設定プログラムを提供することを目的とする。
【課題を解決するための手段】
【００１１】
本発明の電子機器は、パネル部と、セットアップ端末によって設定されたセットアップ完了後での設定変更の時期と前記設定変更の内容とを含む予約情報を管理する予約情報管理部と、前記予約情報管理部からの前記時期に達したことを示す通知を受け取ると、前記設定変更の内容に従って前記設定変更の処理を実行するシステム制御部とを備え、前記システム制御部は、前記予約情報管理部からの前記通知を受け取ると、前記パネル部に予約通知画面を表示させ、前記予約通知画面を介して前記設定変更の開始を受け付けると、前記設定変更の処理を実行することを特徴とする。
また、前記システム制御部は、前記予約通知画面を介して前記時期の変更を受け付けると、前記予約情報管理部に対し、前記時期を変更させることを特徴とする。
また、前記設定変更の内容は、ネットワークを介しての接続情報であることを特徴とする。
また、前記時期は、前記セットアップ完了後の予約日時、前記セットアップ完了後の前記電子機器の最初の起動時、又は前記セットアップ完了後の前記電子機器の納品日の最初の起動時であることを特徴とする。
本発明のネットワーク設定プログラムは、電子機器を制御するコンピューターに実行させるネットワーク設定プログラムであって、予約情報管理部により、セットアップ端末によって設定されたセットアップ完了後での設定変更の時期と前記設定変更の内容とを含む予約情報を管理する工程と、システム制御部により、前記予約情報管理部からの前記時期に達したことを示す通知を受け取ると、前記設定変更の内容に従って前記設定変更の処理を実行する工程とを有し、前記システム制御部は、前記予約情報管理部からの前記通知を受け取ると、パネル部に予約通知画面を表示させ、前記予約通知画面を介して前記設定変更の開始を受け付けると、前記設定変更の処理を実行することを特徴とする。
本発明の電子機器及びネットワーク設定プログラムでは、予約情報管理部により、セットアップ端末によって設定されたセットアップ完了後での設定変更の時期と設定変更の内容とを含む予約情報を管理し、システム制御部により、予約情報管理部からの時期に達したことを示す通知を受け取ると、設定変更の内容に従って設定変更の処理を実行する。また、システム制御部は、予約情報管理部からの通知を受け取ると、パネル部に予約通知画面を表示させ、予約通知画面を介して設定変更の開始を受け付けると、設定変更の処理を実行する。
これにより、セットアップ端末によるセットアップ完了後において、予約情報に含まれる時期に達すると、設定変更の開始を受け付けて設定変更の処理を実行することができる。
【発明の効果】
【００１２】
本発明の電子機器及びネットワーク設定プログラムによれば、セットアップ端末によるセットアップ完了後において、予約情報に含まれる時期に達すると、設定変更の開始を受け付けて設定変更の処理を実行するので、セットアップ完了後での設定変更を効率良く実行できる。
【図面の簡単な説明】
【００１３】
【図１】本発明の電子機器の一実施形態を説明するための図である。
【図２】図１のＭＦＰ、管理サーバー、セットアップ端末の構成の一例について説明するための図である。
【図３】図１のＭＦＰの設定変更予約について説明するものであって、図３（ａ）は図２の予約情報管理部が管理する予約情報の一例を示す図であり、図３（ｂ）は図２のパネル部に表示される予約通知画面の一例を示す図である。
【図４】図１のＭＦＰ側の処理を説明するためのフローチャートである。
【発明を実施するための形態】
【００１４】
以下、本発明の電子機器の一実施形態を、図１〜図４を参照しながら説明する。なお、以下の説明においての電子機器のとしては、たとえば印刷機能、コピー機能、ＦＡＸ機能、ネットワーク経由でのデータ送受信機能等を搭載した複合的な周辺機器であるＭＦＰ(Multifunction Peripheral)であるものとする。
【００１５】
まず、図１は、クライアントへの納品前のＭＦＰ１００に対し、クライアントからの要望に応じた内容でのセットアップ（例えば、言語設定、コピー等の出力設定、アドレス帳の登録等）を実行する際の構成を示している。また、図１は、クライアントへ納品するＭＦＰ１００の台数が多いとき、ネットワークを介して複数のＭＦＰ１００を一括でセットアップする際の構成を示している。
【００１６】
すなわち、ＭＦＰ１００は、ＬＡＮ(Local Area Network)等のネットワーク４００を介し、管理サーバー２００、セットアップ端末３００に接続されている。管理サーバー２００は、ネットワーク４００を介して接続されるそれぞれのＭＦＰ１００に対してＩＰ(Internet Protocol)アドレス等のネットワーク利用に必要な設定情報を自動的に割り当てる。なお、管理サーバー２００が割り当てるＩＰアドレスは、プライベートＩＰアドレスであるものとする。以下、プライベートＩＰアドレスを、単にＩＰアドレスとして説明する。
【００１７】
セットアップ端末３００は、ネットワーク４００を介して、管理サーバー２００によって割り当てられたＩＰアドレスを指定してそれぞれのＭＦＰ１００に接続し、それぞれのＭＦＰ１００に対し、クライアントからの要望に応じた内容でのセットアップを一括で行う。なお、ＭＦＰ１００は、詳細については後述するが、クライアントからのＩＰアドレス等の接続情報の指定がある場合、セットアップ端末３００によって設定された後述の図３（ａ）に示す予約情報５００を保持する。
【００１８】
次に、図２を参照し、ＭＦＰ１００、管理サーバー２００、セットアップ端末３００の構成の一例について説明する。
【００１９】
まず、ＭＦＰ１００は、スキャナー部１０１、プリンター部１０２、ＦＡＸ(Facsimile)部１０３、Ｉ／Ｆ（インターフェース）１０４、パネル部１０５及びＨＤＤ１０６の動作を制御する制御部１１０を備えている。
【００２０】
スキャナー部１０１は、イメージセンサ（図示省略）によって読み取られる、図示しない原稿の画像をデジタルの画像データに変換し、制御部１１０に入力するデバイスである。プリンター部１０２は、制御部１１０から出力される印刷データに基づき、図示しない用紙上に画像を印刷するデバイスである。ＦＡＸ部１０３は、制御部１１０から出力されるデータを、電話回線を通じ相手方となるファクシミリへと送信し、また、相手方ファクシミリからのデータを受信して制御部１１０に入力するデバイスである。
【００２１】
Ｉ／Ｆ１０４は、ネットワーク４００を介し、管理サーバー２００、他のＭＦＰ１００、セットアップ端末３００等との通信を受け持つ。なお、Ｉ／Ｆ１０４は、ネットワーク４００を介し、図示しないコンテンツサーバーやウェブサーバー等との通信を受け持ってもよい。パネル部１０５は、ＭＦＰ１００の印刷機能、コピー機能、ＦＡＸ機能、ネットワーク経由でのデータ送受信機能の選択や、各種設定のための表示を行うタッチパネル等のデバイスである。ＨＤＤ１０６は、ＭＦＰ１００の種々の機能を提供するためのアプリケーションプログラム等を記憶している記憶デバイスである。
【００２２】
制御部１１０は、印刷機能、コピー機能、ＦＡＸ機能、ネットワーク経由でのデータ送受信機能等のアプリケーションプログラム、画像形成プログラム、及び制御プログラム等を実行してＭＦＰ１００全体の動作を制御するプロセッサーである。制御部１１０は、スキャナー制御部１１１、プリンター制御部１１２、ＦＡＸ制御部１１３、通信制御部１１４、ＲＡＭ(Random Access Memory)１１５、ＲＯＭ(Read-Only Memory)１１７、画像処理部１１８、パネル操作制御部１１９、ＨＤＤ制御部１２０、システム制御部１２１を備えている。また、これらは、データバス１２２に接続されている。
【００２３】
スキャナー制御部１１１は、スキャナー部１０１の読み取り動作を制御する。プリンター制御部１１２は、プリンター部１０２の印刷動作を制御する。ＦＡＸ制御部１１３は、ＦＡＸ部１０３によるデータの送受信動作を制御する。通信制御部１１４は、Ｉ／Ｆ１０４を介し、ネットワーク４００経由でのデータ等の送受信の制御を行う。ＲＡＭ１１５は、プログラムを実行するためのワークメモリーである。また、ＲＡＭ１１５は、画像処理部１１８が画像処理した印刷データを記憶する。ＲＯＭ１１６には、各部の動作チェック等を行う制御プログラム等が記憶されている。予約情報管理部１１７は、セットアップ端末３００によって設定された後述の図３（ａ）に示す予約情報５００を保持する。また、予約情報管理部１１７は、予約情報５００の予約日時５０１に達すると、システム制御部１２１に対して予約日時５０１に達したことを通知する。
【００２４】
画像処理部１１８は、たとえばスキャナー部１０１が読み取った画像データに対する画像処理（ラスタライズ）を行う。なお、システム制御部１２１は、画像処理部１１８が画像処理した印刷データを、一旦、ＲＡＭ１１５に記憶させる。パネル操作制御部１１９は、パネル部１０５の表示動作を制御する。また、パネル操作制御部１１９は、パネル部１０５を介し、印刷、コピー、ＦＡＸ、ネットワーク４００経由でのデータ送受信等の開始の設定等を受け付ける。また、パネル操作制御部１１９は、システム制御部１２１の指示に従い、パネル部１０５に対して後述の図３（ｂ）に示す予約通知画面１０５Ａを表示させる。
【００２５】
システム制御部１２１は、各部の連携動作等を制御する。また、システム制御部１２１は、予約情報管理部１１７からの予約日時５０１に達したことの通知を受け取ると、パネル操作制御部１１９に対し、パネル部１０５への後述の図３（ｂ）に示す予約通知画面１０５Ａの表示を指示する。また、システム制御部１２１は、詳細については後述するが、予約通知画面１０５Ａで選択された開始ボタン１０５ｂ、延期ボタン１０５ｃ、キャンセルボタン１０５ｄのいずれかに対応する処理を実行する。
【００２６】
管理サーバー２００は、Ｉ／Ｆ２０１を制御する制御部２１０を備えている。Ｉ／Ｆ２０１は、ネットワーク４００経由でのＭＦＰ１００、セットアップ端末３００等との通信を受け持つ。制御部２１０は、アプリケーションプログラム及び制御プログラム等を実行して管理サーバー２００全体の動作を制御するプロセッサーである。制御部２１０は、ＲＡＭ２１１、ＲＯＭ２１２、通信制御部２１３、接続情報割り当て部２１４、システム制御部２１５を備えている。また、これらは、データバス２１６に接続されている。
【００２７】
ＲＡＭ２１１は、プログラムを実行するためのワークメモリーである。ＲＯＭ２１２は、各部の動作チェック等を行う制御プログラムを記憶している。通信制御部２１３は、Ｉ／Ｆ２０１を介し、ネットワーク４００経由でのＭＦＰ１００、セットアップ端末３００とのデータ等の送受信の制御を行う。接続情報割り当て部２１４は、セットアップ端末３００からの指示に従い、それぞれのＭＦＰ１００に対してＩＰアドレス（たとえばプライベートＩＰアドレス）を割り当てる。
【００２８】
システム制御部２１５は、通信制御部２１３を介し、セットアップ端末３００からの指示を受け取ると、接続情報割り当て部２１４に対し、それぞれのＭＦＰ１００に対するＩＰアドレスの割り当てを指示する。なお、システム制御部２１５は、接続情報割り当て部２１４が割り当てたＩＰアドレスに基づき、それぞれのＭＦＰ１００に対するＩＰアドレスの割り当てを実行する。
【００２９】
セットアップ端末３００は、Ｉ／Ｆ３０１、キーボード３０２、マウス３０３、パネル部３０４を制御する制御部３１０を備えている。Ｉ／Ｆ３０１は、ネットワーク４００を介し、ＭＦＰ１００と、管理サーバー２００との間でのデータの送受信を行う。キーボード３０２は、文字等を入力するためのデバイスである。マウス３０３は、文字の入力位置等を指示するデバイスである。パネル部３０４は、ＭＦＰ１００に対するセットアップに関する情報等を表示する。
【００３０】
制御部３１０は、制御プログラム等を実行してセットアップ端末３００全体の動作を制御するプロセッサーである。制御部３１０は、通信制御部３１１、ＲＡＭ３１２、ＲＯＭ３１３、操作制御部３１４、設定変更アシスト部３１５、パネル操作制御部３１６、システム制御部３１７を備えている。また、これらは、データバス３１８に接続されている。
【００３１】
通信制御部３１１は、Ｉ／Ｆ３０１を介し、ＭＦＰ１００や、管理サーバー２００とのデータ等の送受信の制御を行う。ＲＡＭ３１２は、プログラムを実行するためのワークメモリーである。ＲＯＭ３１３には、各部の動作チェック等を行う制御プログラムが記憶されている。
【００３２】
操作制御部３１４は、キーボード３０２の文字等の入力や、マウス３０３の文字の入力位置等の指示を制御する。設定変更アシスト部３１５は、パネル操作制御部３１６を介し、パネル部３０４に対してＭＦＰ１００を一括でセットアップするための手順等をアシストする内容を表示させる。パネル操作制御部３１６は、パネル部３０４の表示動作を制御する。
【００３３】
システム制御部３１７は、各部の連携動作を制御する。また、システム制御部３１７は、パネル操作制御部３１６がパネル部３０４を介してＭＦＰ１００のＩＰアドレスの割り当ての指示を受け付けると、管理サーバー２００に対してＭＦＰ１００のＩＰアドレスの割り当てを要求する。また、システム制御部３１７は、パネル操作制御部３１６がパネル部３０４を介してＭＦＰ１００を一括でセットアップするための手順等の指示を受け付けると、それぞれのＭＦＰ１００に対してセットアップを指示する。
【００３４】
次に、図３を参照し、ＭＦＰ１００の設定変更予約について説明する。まず、図３（ａ）は、ＭＦＰ１００の予約情報管理部１１７が管理する予約情報５００の一例を示している。図３（ａ）に示す予約情報５００には、設定変更する時期としての予約日時５０１、クライアント先でのＭＦＰ１００のＩＰアドレス５０２、クライアント先で使用されるデフォルトゲートウェイ５０３が含まれている。なお、ここでは、デフォルトゲートウェイ５０３が含まれている場合としているが、デフォルトゲートウェイ５０３は含まれなくてもよい。これらの予約日時５０１、ＩＰアドレス５０２、デフォルトゲートウェイ５０３は、いずれもクライアントからの要望であり、一括のセットアップ時でのセットアップ端末３００により、設定されたものである。すなわち、ＩＰアドレス５０２、及びデフォルトゲートウェイ５０３が示す接続情報への設定変更が、予約日時５０１の示す日時に設定されている。言い換えると、一括のセットアップ時に、ＩＰアドレスとデフォルトゲートウェイは変更されない。このため、ＭＦＰ１００とセットアップ端末３００との接続された状態が維持される。ここで、ＭＦＰ１００のセットアップ完了後、システム制御部３１７は、予約日時５０１がセットアップ完了の日時よりも遅い時期か否かを判断し、判断結果が「否」の場合、パネル操作制御部３１６によるパネル部３０４の表示によって、設定変更の再予約を要求してもよい。
【００３５】
図３（ｂ）は、パネル部１０５に表示される予約通知画面１０５Ａの一例を示している。予約通知画面１０５Ａには、設定変更を促す内容１０５ａ、開始ボタン１０５ｂ、延期ボタン１０５ｃ、キャンセルボタン１０５ｄが表示されている。ここで、たとえば開始ボタン１０５ｂがタッチ操作されると、システム制御部１２１がＩＰアドレス５０２、及びデフォルトゲートウェイ５０３の接続情報を、予約情報管理部１１７が管理する予約情報５００に基づき、設定変更する。
【００３６】
また、たとえば延期ボタン１０５ｃがタッチ操作されると、システム制御部１２１がパネル操作制御部１１９を介し、パネル部１０５に予約日時５０１の変更を受け付ける図示しない変更画面を表示させる。また、システム制御部１２１は、変更画面で予約日時５０１が変更されると、予約情報管理部１１７に対し、予約情報５００の予約日時５０１を変更させる。また、たとえばキャンセルボタン１０５ｄがタッチ操作されると、予約情報５００の予約日時５０１、ＩＰアドレス５０２、デフォルトゲートウェイ５０３の内容がクリアされる。
【００３７】
次に、図４を参照し、ＭＦＰ１００側の処理について説明する。なお、以下では、ＭＦＰ１００の一括でのセットアップ完了後、セットアップ端末３００によって設定された図３（ａ）の予約情報５００が予約情報管理部１１７によって管理されている場合として説明する。言い換えれば、一括でのセットアップが完了したＭＦＰ１００がクライアントに納品されている場合で説明する。
【００３８】
（ステップＳ１０１）
システム制御部１２１は、設定変更の予約が有るかどうかを判断する。
この場合、システム制御部１２１は、予約情報管理部１１７に対して設定変更の予約が有るかどうかを問い合わせ、設定変更の予約が無いとした通知を受け取ると、設定変更の予約が無いと判断し（ステップＳ１０１：Ｎｏ）、処理を終了する。
これに対し、システム制御部１２１は、予約情報管理部１１７に対して設定変更の予約が有るかどうかを問い合わせ、設定変更の予約が有るとした通知を受け取ると、設定変更の予約が有ると判断し（ステップＳ１０１：Ｙｅｓ）、ステップＳ１０２に移行する。
ここで、予約情報管理部１１７は、図３（ａ）に示した予約情報５００を保持していなければ、システム制御部１２１に設定変更の予約が無いことを通知し、図３（ａ）に示した予約情報５００を保持していれば、システム制御部１２１に設定変更の予約が有ることを通知する。
【００３９】
（ステップＳ１０２）
システム制御部１２１は、予約日時５０１かどうかを判断する。
この場合、システム制御部１２１は、予約情報管理部１１７からの予約情報５００の予約日時５０１に達したことを示す通知が無ければ予約日時５０１でないと判断する（ステップＳ１０２：Ｎｏ）。
これに対し、システム制御部１２１は、予約情報管理部１１７からの予約情報５００の予約日時５０１に達したことを示す通知が有れば予約日時５０１であると判断し（ステップＳ１０２：Ｙｅｓ）、ステップＳ１０３に移行する。
【００４０】
（ステップＳ１０３）
システム制御部１２１は、予約通知画面１０５Ａを表示させる。
この場合、システム制御部１２１は、パネル操作制御部１１９を介し、パネル部１０５に予約通知画面１０５Ａを表示させる。
【００４１】
（ステップＳ１０４）
システム制御部１２１は、タッチ操作が有るかどうかを判断する。
この場合、システム制御部１２１は、パネル操作制御部１１９からパネル部１０５に対するタッチ操作が有ったことを示す通知が無ければタッチ操作が無いと判断する（ステップＳ１０４：Ｎｏ）。
これに対し、システム制御部１２１は、パネル操作制御部１１９からのパネル部１０５に対するタッチ操作が有ったことを示す通知が有ればタッチ操作が有ると判断し（ステップＳ１０４：Ｙｅｓ）、ステップＳ１０５に移行する。
【００４２】
（ステップＳ１０５）
システム制御部１２１は、開始かどうかを判断する。
この場合、システム制御部１２１は、パネル操作制御部１１９からのパネル部１０５に対するタッチ操作が開始ボタン１０５ｂ以外であるとした通知であれば、開始でないと判断する（ステップＳ１０５：Ｎｏ）。
これに対し、システム制御部１２１は、パネル操作制御部１１９からのパネル部１０５に対するタッチ操作が開始ボタン１０５ｂであるとした通知であれば、開始であると判断し（ステップＳ１０５：Ｙｅｓ）、ステップＳ１０６に移行する。
【００４３】
（ステップＳ１０６）
システム制御部１２１は、予約情報５００の予約内容に従って設定変更の処理を実行する。
この場合、システム制御部１２１は、ＩＰアドレス５０２、及びデフォルトゲートウェイ５０３の接続情報を、予約情報管理部１１７が管理する予約情報５００に基づき、設定変更する。
【００４４】
（ステップＳ１０７）
システム制御部１２１は、延期かどうかを判断する。
この場合、システム制御部１２１は、パネル操作制御部１１９からのパネル部１０５に対するタッチ操作が延期ボタン１０５ｃ以外であるとした通知であれば、延期でないと判断する（ステップＳ１０７：Ｎｏ）。
なお、システム制御部１２１は、パネル操作制御部１１９からのパネル部１０５に対するタッチ操作が延期ボタン１０５ｃ以外であるとき、パネル操作制御部１１９からのパネル部１０５に対するタッチ操作がキャンセルボタン１０５ｄとなるため、キャンセルと判断する。
この場合、システム制御部１２１は、キャンセルボタン１０５ｄがタッチ操作されたことに伴い、予約情報管理部１１７に対し、予約情報５００の予約日時５０１、ＩＰアドレス５０２、デフォルトゲートウェイ５０３の内容を消去させる。これにより、設定変更の予約が無くなる。
これに対し、システム制御部１２１は、パネル操作制御部１１９からのパネル部１０５に対するタッチ操作が延期ボタン１０５ｃであるとした通知であれば、延期であると判断し（ステップＳ１０７：Ｙｅｓ）、ステップＳ１０８に移行する。
【００４５】
（ステップＳ１０８）
システム制御部１２１は、予約日時５０１の変更を受け付けさせる。
この場合、システム制御部１２１は、パネル操作制御部１１９を介し、パネル部１０５に予約日時５０１の変更を受け付ける図示しない変更画面を表示させる。
また、システム制御部１２１は、パネル操作制御部１１９に対し、予約日時５０１の変更を受け付けさせる。
このように、システム制御部１２１がパネル操作制御部１１９に対し、予約日時５０１の変更を受け付けさせることで、設定変更の実施日の予定を柔軟に変更できる。
【００４６】
（ステップＳ１０９）
システム制御部１２１は、パネル操作制御部１１９が予約日時５０１の変更を受け付けたかどうかを判断する。
この場合、システム制御部１２１は、パネル操作制御部１１９が変更画面で予約日時５０１の変更を受け付けたことを示す通知が無ければパネル操作制御部１１９が予約日時５０１の変更を受け付けていないと判断する（ステップＳ１０９：Ｎｏ）。
これに対し、システム制御部１２１は、パネル操作制御部１１９が変更画面で予約日時５０１の変更を受け付けたことを示す通知が有ればパネル操作制御部１１９が予約日時５０１の変更を受け付けたと判断し（ステップＳ１０９：Ｙｅｓ）、ステップＳ１１０に移行する。
【００４７】
（ステップＳ１１０）
システム制御部１２１は、予約情報５００の予約日時５０１を変更させる。
この場合、システム制御部１２１は、パネル操作制御部１１９が変更画面で予約日時５０１の変更を受け付けると、予約情報管理部１１７に対し、予約情報５００の予約日時５０１を変更させる。
【００４８】
なお、システム制御部１２１は、ステップＳ１０５でパネル操作制御部１１９からのパネル部１０５に対するタッチ操作が開始ボタン１０５ｂであるとした通知を受け取ったとき、ステップＳ１０６で予約内容に従って設定変更の処理を実行する場合としているが、この例に限らず、ステップＳ１０２で予約情報管理部１１７からの予約情報５００の予約日時５０１に達したことを示す通知が有れば直ちにステップＳ１０６で予約内容に従っての設定変更の処理を実行してもよい。この場合、セットアップ端末３００によるセットアップ完了後での設定変更を自動的に行わせることができる。
【００４９】
このように、本実施形態では、予約情報管理部１１７により、セットアップ端末３００によって設定されたセットアップ完了後での設定変更の予約日時５０１とＩＰアドレス５０２及び／又はデフォルトゲートウェイ５０３（設定変更の内容）とを含む予約情報５００を管理し、システム制御部１２１により、予約情報管理部１１７からの予約日時５０１に達したことを示す通知を受け取ると、設定変更の内容に従って設定変更の処理を実行する。また、システム制御部１２１は、予約情報管理部１１７からの通知を受け取ると、パネル部１０５に予約通知画面１０５Ａを表示させ、予約通知画面１０５Ａを介して設定変更の開始を受け付けると、設定変更の処理を実行する。
【００５０】
これにより、セットアップ端末３００によるセットアップ完了後において、予約情報５００に含まれる予約日時５０１に達すると、設定変更の開始を受け付けて設定変更の処理を実行するので、セットアップ完了後での設定変更を効率良く実行できる。
【００５１】
なお、上記の実施形態においては、予約日時５０１に基づいて、ＩＰアドレス５０２及びデフォルトゲートウェイ５０３を設定変更したが、予約日時５０１以外の時期、例えば、セットアップ完了後のＭＦＰ１００の最初の起動時、又はＭＦＰ１００の納品日の最初の起動時に基づいて設定変更してもよい。この場合、上記実施形態の説明において、「予約日時５０１」に代えて、「セットアップ完了後のＭＦＰ１００の最初の起動時」又は「セットアップ完了後のＭＦＰ１００の納品日の最初の起動時」を適用すればよい。
【００５２】
また、本実施形態では、電子機器をＭＦＰ１００としているが、この例に限らず、多機能プリンターや、ＰＣ(Personal Computer)等の他の電子機器にも適用可能である。
【符号の説明】
【００５３】
１００  ＭＦＰ
１０１  スキャナー部
１０２  プリンター部
１０３  ＦＡＸ部
１０４、２０１、３０１  Ｉ／Ｆ
１０５、３０４  パネル部
１０６  ＨＤＤ
１０５Ａ  予約通知画面
１０５ａ  内容
１０５ｂ  開始ボタン
１０５ｃ  延期ボタン
１０５ｄ  キャンセルボタン
１０５Ａ  予約通知画面
１１０、２１０、３１０  制御部
１１１  スキャナー制御部
１１２  プリンター制御部
１１３  ＦＡＸ制御部
１１４、２１３、３１１  通信制御部
１１５、２１１、３１２  ＲＡＭ
１１６、２１２、３１３  ＲＯＭ
１１７  予約情報管理部
１１８  画像処理部
１１９、３１６  パネル操作制御部
１２０  ＨＤＤ制御部
１２１、２１５、３１７  システム制御部
１２２、２１６、３１８  データバス
２００  管理サーバー
２１４  接続情報割り当て部
３００  セットアップ端末
３０２  キーボード
３０３  マウス
３１４  操作制御部
３１５  設定変更アシスト部
４００  ネットワーク
５００  予約情報
５０１  予約日時
５０２  ＩＰアドレス
５０３  デフォルトゲートウェイ
【図１】
2019200685.tif 000003
【図２】
2019200685.tif 000004
【図３】
2019200685.tif 000005
【図４】
2019200685.tif 000006